(57)【要約】      （修正有）【課題】石油の濾過という技術的問題を解決する石油分離器を提供する。【解決手段】内部に分離孔チャンネル１が設けられた円筒形の分離器本体を備えた石油分離器であって、分離器本体の横方向の両端には、分離孔チャンネル１と連通する供給管７及び排出管８が配置されている。分離器本体の中段には、回転軸２が回転可能に接続され、回転軸２を介して複数の濾過用インペラ３が環状アレイになるように配置されている。濾過用インペラ３のアレイにおいて、供給管７に近い側の濾過用インペラ３の直径が比較的小さく、排出管８に近い側の濾過用インペラ３の直径が比較的大きい。濾過用インペラ３は、回転軸２と固定接続され、濾過用羽根が環状アレイになるように配置された回転盤を含む。濾過用羽根は、内部に捕捉ネットが配置された扇形の外枠を含み、外枠の位置する平面と回転盤２の位置する平面とが一定の角度を形成している。【選択図】図１
0003221955.tif 000002
【実用新案登録請求の範囲】
【請求項１】
内部に分離孔チャンネルが設けられた円筒形の分離器本体を備え、前記分離器本体の横方向の両端には、前記分離孔チャンネルと連通する供給管及び排出管が配置され、前記分離器本体の中段には、回転軸が回転可能に接続され、前記回転軸を介して複数の濾過用インペラが環状アレイになるように配置され、前記濾過用インペラのアレイにおいて、前記供給管に近い側の濾過用インペラの直径が比較的小さく、前記排出管に近い側の濾過用インペラの直径が比較的大きく、前記濾過用インペラは、前記回転軸と固定接続され、濾過用羽根が環状アレイになるように配置された回転盤を含み、前記濾過用羽根は、内部に捕捉ネットが配置された扇形の外枠を含み、前記外枠の位置する平面と前記回転盤の位置する平面とが一定の角度を形成していることを特徴とする石油分離器。
【請求項２】
前記分離器本体における前記分離孔チャンネルの内壁には、環状の減速ネットがさらに配置され、前記分離器本体の外壁には、前記減速ネットに対応する環状の収集溝が設けられ、前記減速ネットの幅は、前記供給管から前記排出管への方向に沿って徐々に狭くなり、前記収集溝と前記供給管とが連通していることを特徴とする請求項１に記載の石油分離器。
【請求項３】
前記捕捉ネットは、ステンレス鋼から製作されていることを特徴とする請求項１に記載の石油分離器。
【請求項４】
前記回転軸の前部分及び末端のそれぞれには、駆動インペラが配置されていることを特徴とする請求項１に記載の石油分離器。
【請求項５】
前記供給管と前記排出管との経路は円弧形構造であり、前記分離孔チャンネルの端部には、複数の連結棒を介して前記分離孔チャンネルの内壁と接続された支持ブロックが配置され、前記供給管と前記排出管との外壁には、補助支持ブロックが設けられ、前記回転軸は、前記支持ブロックと回転可能に接続され、且つ前記供給管及び前記排出管の壁面を貫通して前記補助支持ブロックと接続されていることを特徴とする請求項１に記載の石油分離器。
【考案の詳細な説明】
【技術分野】
【０００１】
本考案は、石油分離装置に関し、石油分離器である。
【背景技術】
【０００２】
採掘後の初期段階において、石油の不純物の含有量が大きいため、管路の閉塞がなく管路による輸送が正常に行われるために石油に対する効果的な濾過分離が必要である。石油自体の粘度が高く、密度の高いフィルタで濾過する場合は、速度が比較的遅く、極めて閉塞し易い。一方、密度の小さいフィルタの場合は、濾過効果が劣る。
【考案の概要】
【考案が解決しようとする課題】
【０００３】
本考案の目的は、従来技術における、石油の濾過が困難であるという技術的問題を解決するための石油分離器を提供することである。
【課題を解決するための手段】
【０００４】
上記の技術的問題を解決するために、本考案は以下の技術的解決手段を採用する。
内部に分離孔チャンネルが設けられた円筒形の分離器本体を備えた石油分離器であって、前記分離器本体の横方向の両端には、前記分離孔チャンネルと連通する供給管及び排出管が配置されている。前記分離器本体の中段には、回転軸が回転可能に接続され、前記回転軸を介して複数の濾過用インペラが環状アレイになるように配置されている。前記濾過用インペラのアレイにおいて、前記供給管に近い側の濾過用インペラの直径が比較的小さく、前記排出管に近い側の濾過用インペラの直径が比較的大きい。前記濾過用インペラは、前記回転軸と固定接続され、濾過用羽根が環状アレイになるように配置された回転盤を含む。前記濾過用羽根は、内部に捕捉ネットが配置された扇形の外枠を含み、前記外枠の位置する平面と前記回転盤の位置する平面とが一定の角度を形成している。
【０００５】
好ましくは、前記分離器本体の分離孔チャンネルの内壁には、環状の減速ネットがさらに配置され、前記分離器本体の外壁には、前記減速ネットに対応する環状の収集溝が設けられている。前記減速ネットの幅は、前記供給管から前記排出管への方向に沿って徐々に狭くなり、前記収集溝と前記供給管とは、連通している。
【０００６】
好ましくは、前記捕捉ネットは、ステンレス鋼から製作されている。
【０００７】
好ましくは、前記回転軸の前部分及び末端のそれぞれには、駆動インペラが配置されている。
【０００８】
好ましくは、前記供給管と前記排出管との経路は円弧形構造である。前記分離孔チャンネルの端部には、複数の連結棒を介して前記分離孔チャンネルの内壁と接続された支持ブロックが配置されている。前記供給管と前記排出管との外壁には、補助支持ブロックが設けられている。前記回転軸は、前記支持ブロックと回転可能に接続され、且つ前記供給管及び前記排出管の壁面を貫通して前記補助支持ブロックと接続されている。
【考案の効果】
【０００９】
本考案の有益な効果は以下の通りである。
１、本考案によれば、石油分離管路を設け、内部に高速回転する濾過用インペラを配置し、比較的高い密度を有するフィルタを介して高速回転の形式で石油を撹拌することにより、石油内の不純物に対するフィルタによる捕捉を実現するだけでなく、石油の流れに対して良好な駆動性能を提供し、濾過速度を改善することができる。
【００１０】
２、減速ネット構造により、石油分離管路の縁部に位置する石油は減速され、不純物の捕捉は層に沿った流動抵抗によって実現される。減速ネットの表面の石油の流動性能を確保するために設計された収集溝構造が、石油の供給管に接続されていることにより、石油の循環的な流動が確保される。
【００１１】
３、駆動インペラにより、石油の流れが補助され、石油の流動密度及び流動速度がさらに向上する。
【００１２】
４、本考案に係る回転軸全体は、石油内に浸漬され、石油によって潤滑されている。また、二重支持機構は良好な支持性能を有する。
【図面の簡単な説明】
【００１３】
以下、図面及び実施例と併せて、本発明について詳細に説明する。
【図１】本考案の断面概略図である。
【図２】濾過用インペラの構成概略図である。
【考案を実施するための形態】
【００１４】
以下、図面と合わせて本考案について詳細に説明する。これらの図面は、簡略図であり、本考案の基本的な構造を模式的に説明するためのものにすぎない。従って、図面には、本考案と関連する構成のみが表示されている。
【００１５】
図１及び図２に示すように、本考案に係る石油分離器は、内部に分離孔チャンネルが設けられた円筒形の分離器本体を備えている。分離器本体の横方向の両端には、分離孔チャンネルと連通する供給管及び排出管が配置されている。分離器本体の中段には、回転軸が回転可能に接続されている。供給管と排出管との経路は円弧形構造である。分離孔チャンネルの端部には、複数の連結棒を介して分離孔チャンネルの内壁と接続された支持ブロックが配置されている。供給管と排出管との外壁には、補助支持ブロックが設けられている。回転軸は、支持ブロックと回転可能に接続され、且つ供給管及び排出管の壁面を貫通して前記補助支持ブロックと接続されている。
【００１６】
回転軸に複数の濾過用インペラが円環状アレイになるように配置され、回転軸の前部分及び末端のそれぞれに駆動インペラが配置され、濾過用インペラのアレイにおいて、供給管に近い側の濾過用インペラの直径が比較的小さく、排出管に近い側の濾過用インペラの直径が比較的大きい。濾過用インペラは、回転軸と固定接続され、濾過用羽根が環状アレイになるように配置された回転盤を含む。濾過用羽根は、内部にステンレスメッシュ材質の捕捉ネットが配置された扇形の外枠を含み、外枠の位置する平面と回転盤の位置する平面とは、一定の角度を形成している。
【００１７】
分離器本体の分離孔チャンネルの内壁には、環状の減速ネットがさらに配置され、分離器本体の外壁には、減速ネットに対応する環状の収集溝が設けられている。減速ネットの幅は、供給管から排出管への方向に沿って徐々に狭くなり、収集溝と供給管とは連通している。
【００１８】
使用の際に、石油が供給管より入った後、分離孔チャンネル全体が石油内に浸漬される。その後の石油が駆動インペラを介して濾過用インペラのアレイ内に押し込まれ、高速回転の濾過用インペラは、比較的高い密度を有する捕捉ネットを介して高速回転の形式で石油を撹拌し、石油と往復接触して且つ捕捉ネットを貫通する。これにより、石油内の不純物が層抵抗力によってインペラに粘着される。一方、分離孔チャンネルの縁部に位置する石油は、減速ネット構造によって減速される。不純物の捕捉は、層に沿った流動抵抗によって実現される減速ネットを通過した石油は、収集溝を介して再び供給管に戻され、往復流動が実現される。石油は、完全に分離された後駆動インペラを介して排出管まで排出され、関連する抽出ポンプを介して抽出される。
【００１９】
上述した本考案に係る好ましい実施形態を啓示として、上記の説明内容によって、当業者は、本考案の技術的思想の範囲から逸脱しないかぎり、様々な変更や修正を行うことができる。本考案の技術的範囲は、明細書に記載されている内容に限定されず、実用新案登録請求の範囲によって技術的範囲を確定すべきである。
【符号の説明】
【００２０】
１  分離孔チャンネル
２  回転軸
３  濾過用インペラ
４  駆動インペラ
５  減速ネット
６  収集溝
７  供給管
８  排出管
９  支持ブロック
１０  補助支持ブロック
１１  回転盤
１２  外枠
１３  捕捉ネット
【図１】
0003221955.tif 000003
【図２】
0003221955.tif 000004